(57)【要約】【課題】  海洋深層水または海洋岩盤水の脱塩方法、脱塩された海洋深層水または海洋岩盤水を含む化粧水及び化粧用パフを提供する。【解決手段】  海洋深層水または海洋岩盤水を結氷させる段階、前記結氷された氷を淡水で洗浄する段階、前記洗浄された氷を溶解する段階を含む脱塩方法。【特許請求の範囲】
【請求項１】
海洋深層水または海洋岩盤水を結氷させる段階と、
前記結氷された氷を淡水で洗浄する段階と、
前記洗浄された氷を溶解する段階と、を含む海洋深層水または海洋岩盤水の脱塩方法。
【請求項２】
請求項１の方法で脱塩された海洋深層水または海洋岩盤水を含む化粧水。
【請求項３】
脱塩された海洋深層水または海洋岩盤水を含有する化粧用パフ。
【請求項４】
前記脱塩された海洋深層水または海洋岩盤水は請求項１の方法によって製造されることを特徴とする請求項３に記載の化粧用パフ。
【請求項５】
化粧用パフはラテックスパフであることを特徴とする請求項４に記載の方法。
【請求項６】
請求項１の方法で脱塩された海洋岩盤水または海洋深層水をラテックスパフの製造原料に添加する段階と、
前記原料混合物を発泡させて内部にセルを形成する段階と、
セルの形成された原料混合物をモールドに注入して成形する段階と、を含む化粧用ラテックスパフの製造方法。
【請求項７】
前記脱塩された海洋深層水または海洋岩盤水は請求項１の方法により製造されることを特徴とする請求項６に記載の化粧用パフの製造方法。
【発明の詳細な説明】
【技術分野】
【０００１】
本発明は海洋深層水または海洋岩盤水を用いた化粧水または化粧用パフに係り、特に海洋深層水または海洋岩盤水の脱塩方法、脱塩された海洋深層水または海洋岩盤水を含む化粧水及び化粧用パフに関する。
【背景技術】
【０００２】
海洋深層水とは、一般に海水面から200ｍ以下の海水を言う。海洋深層水は太陽光が達しないために栄養物質を消費する植物プランクトンがない。従って、バクテリア等に分解された栄養物質が豊富である。そして、海洋深層水は数千年間形成された水であるために性質が安定しており、各種酵素の作用で抗酸化物質が含まれている。のみならず、海洋深層水にはカルシウムやマグネシウムなど細胞の作用を助けるミネラルや必須微量元素がバランスよく含まれており、溶存されている金属イオン等の作用で活性酸素の消去に抜群の効能を発揮している。
【０００３】
また、海水表面から200ｍ以下では有機物の濃度が低く、大腸菌や一般細菌による汚染がほとんどない。陸地や大気(空気)からの化学物質による汚染の可能性も少ない。したがって、海洋深層水は非常に清潔な水である。
【０００４】
海洋岩盤水も前記海洋深層水と同じ特性を有する。
【０００５】
最近には前記のように清潔で人体に有益な成分が含まれている海洋深層水または海洋岩盤水を食品、飲料、医療、健康、美容、水産業、農業、エネルギーなどの多様な分野で使用しようとする試みがなされている。
【０００６】
しかし、海洋深層水または海洋岩盤水は海水の特性上塩分を多量含有しており、このような塩分によりその活用に当たって多くの制約を有する。海水の塩分を除去する方法として蒸留法と逆浸透圧法などが知られている。
【０００７】
最古の脱塩法である蒸留法は海水を気化させた後、冷却して水を得る。ほとんどの蒸留法は熱エネルギーを使用する。蒸留法の熱エネルギーを減らすために太陽輻射エネルギーを用いる方法が考案された。この方法は水の需要の多い乾燥した地方であるほど太陽輻射熱がはるかに強いために魅力的である。現在太陽熱装置による生産量は一日に約3L/m2程度である。莫大な研究と努力にも拘らず数種の工学的問題のために太陽熱蒸留法は大量ではなされていない。
【０００８】
逆浸透圧法は、相当な圧力を使用して半透膜を通じて純粋な水を高濃度の溶液から低濃度の溶液に送る方法である。海水の浸透圧は約30atmであり、逆浸透圧法による脱塩過程において低濃度の淡水部からの水の流入を防ぐためには30atm以上の圧力が海水部に加えられねばならない。海水部に30atm以上の圧力が加えられれば、浸透現象は逆転され、純粋な水が半透膜を通じて海水部から淡水部に流れるこの方法において最大の問題は、水は通過するが、他の溶解された物質は通過できない半透膜を開発することであり、しかもそのような半透膜は多くの水を淡水化するために高い圧力で長時間使えなければならない。
【発明の開示】
【発明が解決しようとする課題】
【０００９】
本発明の目的は、海洋深層水または海洋岩盤水の脱塩方法を提供することである。
【００１０】
本発明の他の目的は、前記脱塩された海洋深層水または海洋岩盤水を含む化粧水を提供することである。
【００１１】
本発明のさらに他の目的は、脱塩された海洋深層水または海洋岩盤水を含む化粧用パフ及びその製造方法を提供することである。
【課題を解決するための手段】
【００１２】
前記目的を達成するために本発明は、海洋深層水または海洋岩盤水を結氷させる段階と、前記結氷された氷を淡水で洗浄する段階と、前記洗浄された氷を溶解する段階と、を含む海洋深層水または海洋岩盤水の脱塩方法を提供する。
【００１３】
本発明はまた前記方法で脱塩された海洋深層水または海洋岩盤水を含む化粧水を提供する。
【００１４】
本発明はまた脱塩された海洋深層水または海洋岩盤水を含有する化粧用パフを提供する。
【００１５】
本発明はまた脱塩された海洋岩盤水または海洋深層水をラテックスパフの製造原料に添加する段階と、前記原料混合物を発泡させて内部にセルを形成する段階と、セルの形成された原料混合物をモールドに注入して成形する段階と、を含む化粧用ラテックスパフの製造方法を提供する。
【発明の効果】
【００１６】
本発明によれば、海洋深層水または海洋岩盤水を脱塩させ、その脱塩された海洋深層水または海洋岩盤水を用いて皮膚保湿効果及び毛穴洗浄効果に優れた化粧水を提供できる。また、脱塩海洋深層水または海洋岩盤水を含有することによって化粧品の塗布が容易で皮膚刺激が少ない化粧用パフを提供できる。
【発明を実施するための最良の形態】
【００１７】
以下、本発明をさらに詳細に説明する。
【００１８】
本発明の海洋深層水または海洋岩盤水の脱塩方法は、海洋深層水または海洋岩盤水を結氷させる段階と、前記結氷された氷を淡水で洗浄する段階と、前記洗浄された氷を溶解する段階と、を含む。
【００１９】
海洋深層水または海洋岩盤水の結氷段階で結氷温度は-0.5℃以下であり、深層水及び岩盤水の塩分濃度によって異なるものである。塩分濃度が高いほど結氷温度は低める。
【００２０】
海洋深層水及び海洋岩盤水を前記のように結氷させることによって塩を除去する方法は、水溶液の結氷時に溶液から分離される固体は純粋な水であるという点に着眼したものである。このような結氷法の長所は蒸留法に比べてエネルギーの消費が少ないということである。これは水の蒸発熱は40.77KJ/molである反面、融解熱は単に6.01KJ/molであるからである。
【００２１】
海洋深層水または海洋岩盤水が結氷された後には、結氷された氷を淡水で洗浄せねばならない。結氷された氷には塩分が付いているためにこれを除去する作業が必要である。淡水として蒸溜水を使用することが望ましい。
【００２２】
淡水で塩分を洗浄した氷を溶解すれば塩分が除去された海洋深層水または海洋岩盤水が完成する。
【００２３】
本発明において提供する化粧水は前記方法で処理された海洋岩盤水または海洋深層水を含む。従来の化粧水に使われてきた一般の水の代わりに前記方法で処理された海洋岩盤水または海洋深層水を加えて本発明の化粧水を製造できる。前記化粧水は前記方法で処理された海洋深層水または海洋岩盤水以外にも通常の化粧水に添加される多価アルコール類、蛋白質、アミノ酸類、またはムコ多糖類などの保湿剤、ポリオキシエチレンオレイルエーテルなどの可溶化剤、増粘剤、防腐剤または香料などを含みうる。
【００２４】
前記化粧水は通常の水を加えて製造した通常の化粧水に比べて毛穴への侵透性に優れて毛穴に対する洗浄効果が高い。そして、化粧水に存在する海洋深層水または海洋岩盤水成分は皮膚に存在する角質を分解することによって皮膚に対する化粧の吸収を促進させ、かつ高い保湿効果を示す。また、身体から放出される熱エネルギーを吸収して皮膚の血行を促進させて皮膚の新陳代謝を活発にする。のみならず、前記化粧水はアトピー性皮膚のような非常に敏感な皮膚に対する治療効果も有する。
【００２５】
本発明の化粧用パフは脱塩された海洋深層水または海洋岩盤水を含有する。前記脱塩された海洋深層水または海洋岩盤水は前記本発明の方法により脱塩された海洋深層水または海洋岩盤水であることが望ましい。また前記パフはラテックスを主原料として製造されたラテックスパフであることが望ましい。
【００２６】
海洋深層水または海洋岩盤水を含有する本発明の化粧用パフは、化粧品の皮膚への塗布時に皮膚に存在する異質物を除去させると同時に通常の化粧用パフに比べて化粧品を皮膚にさらに均一に塗布して化粧品の吸収を促進させうる。また、パフに海洋深層水または海洋岩盤水が含まれているために、身体から放出される熱エネルギーをパフが吸収し、吸収された該パフ熱によって皮膚の血行が促進されて皮膚の新陳代謝が活発になる。のみならず、前記パフはパフ自体が有している毒性が海洋深層水または海洋岩盤水により中和されてアトピー性皮膚のような非常に敏感な皮膚に対しても刺激がほとんどない。
【００２７】
脱塩された海洋深層水または海洋岩盤水を含む前記化粧用パフは、脱塩された海洋岩盤水または海洋深層水をラテックスパフの製造原料に添加する段階と、前記原料混合物を発泡させて内部にセルを形成する段階と、セルの形成された原料混合物をモールドに注入して成形する段階と、を含む方法により製造されうる。
【００２８】
前記方法で脱塩された海洋深層水または海洋岩盤水は、前記本発明の方法により脱塩された海洋深層水または海洋岩盤水であることが望ましい。
【００２９】
前記ラテックスパフの製造原料としてはラテックスが主原料として含まれ、ここに亜鉛化、珪物化ソーダ及び促進剤、硫黄E.Z.及びM.Z.、水酸化カリウム、オレイン酸、分散剤、または顔料などが含まれる。
【００３０】
以下、本発明を下記実施例によりさらに具体的に説明する。しかし、これら実施例は単に本発明の理解を助けるために引用されたものに過ぎず、如何なる意味でも本発明の範囲がこれらにより制限されるものではない。
【００３１】
実施例1
海洋深層水の脱塩
沖縄県海洋深層水開発協同組合(1,400m以下)から取水した深層水1リットルを-5℃で結氷した。この氷を蒸溜水に5秒間2回浸して氷表面に付着されている塩分を洗浄した。次いで、常温で前記洗浄された氷を溶解して830mlの脱塩された海洋深層水を獲得した。
【００３２】
実施例2-4
化粧水の製造
下記表1に記載された原料と含量によって、アルコール相と水相とを各々室温で混合して溶解させた後、アルコール相を水相に徐々に添加しつつ攪拌する通常の可溶化方法で化粧水を製造した。
【００３３】
【表１】
2004314045.tif 000002
【００３４】
実施例5
化粧用パフの製造
主原料であるラテックス30g、実施例1で製造した脱塩された海洋深層水30ml、及びその他の添加剤をラテックス貯蔵タンクに入れて攪拌混合してラテックス混合物を生成した。生成されたラテックス混合物を、配管を通じて発泡器に移送して発泡器を通じて空気注入しつつオークミキサーで発泡させた。生成された発泡体を成形器に移送して成形することによって化粧用ラテックスパフを製造した。
【００３５】
実験例1
脱塩海洋深層水の成分分析
実施例1で製造した脱塩海洋深層水を江原道保健環境研究院に依頼して水質検査を実施した。江原道保健環境研究院では飲み水水質基準及び検査等に関する規則第3条第2項の規定によって試験して下記の表2と同じ水質検査結果を獲得した。
【００３６】
【表２】
2004314045.tif 000003
【００３７】
実験例2
化粧用パフに対する官能性テスト
前記実施例5において製造した化粧用パフと市販中の従来の化粧用パフを全て20代女性30名に与えて化粧段階のうちメイクアップベースを塗る時に化粧用パフを用いるようにした。各々10日ずつ総20日間毎日1回ずつ使用させた後、下記表3に該当する項目に対してアンケート調査を行ってその結果を下記表3に示した。
【００３８】
【表３】
2004314045.tif 000004
(7:とてもいい、6:いい、5:少しいい、4:普通、3:若干きらい、2:きらい、1:とてもきらい)
前記結果によれば、本発明の化粧用パフが従来の化粧用パフに比べて化粧の塗布が容易で、皮膚刺激が少なく、全体的な触感も良いものと分かった。
【産業上の利用可能性】
【００３９】
本発明による脱塩方法によって処理された海洋深層水または海洋岩盤水は食品、飲料、医療、健康、美容などの多様な分野に用いられ、特にこれを用いて製造された化粧水及び粧用パフは化粧道具として広く適用されうる。